(57)【要約】      （修正有）【課題】ランプの寿命を大幅に改善可能な光源装置を提供する。【解決手段】対向するように配置された第１の電極、第２の電極と、を含む発光部と、発光部からの光を反射して開口から射出するリフレクタと、を有するランプと、第１、第２の電極に電力を供給することでランプを点灯する駆動手段と、を備え、第１の電極は、第２の電極に対してリフレクタの開口に近い位置に配置されており、駆動手段は、ランプの消灯信号を受信してから第１、２電極への電力の供給を停止してランプを消灯するまでの消灯動作時間において、ランプの消灯時に第１の電極の温度が第２の電極の温度に比べて高くなるように、第１、２電極への電力の供給を制御する。【選択図】図２
2016012090.tif 000002
【特許請求の範囲】
【請求項１】
対向するように配置された第１の電極、第２の電極と、を含む発光部と、前記発光部からの光を反射して開口から射出するリフレクタと、を有するランプと、
前記第１、第２の電極に電力を供給することで前記ランプを点灯する駆動手段と、を備え、
前記第１の電極は、前記第２の電極に対して前記リフレクタの開口に近い位置に配置されており、
前記駆動手段は、前記ランプの消灯信号を受信してから前記第１、第２電極への電力の供給を停止して前記ランプを消灯するまでの消灯動作時間において、前記ランプの消灯時に前記第１の電極の温度が前記第２の電極の温度に比べて高くなるように、前記第１、第２電極への電力の供給を制御することを特徴とする光源装置。
【請求項２】
前記駆動手段は、前記消灯動作時間において、前記第２の電極からの電子の放出量が前記第１の電極からの電子の放出量よりも多くなるように、前記第１、第２電極への電力の供給を制御することを特徴とする請求項１に記載の光源装置。
【請求項３】
前記駆動手段は、前記消灯動作時間において、前記第２の電極から電子を放出する時間が前記第１の電極から電子を放出する時間よりも長くなるように、前記第１、第２電極への電力の供給を制御することを特徴とする請求項１または２に記載の光源装置。
【請求項４】
前記第１の電極から電子を放出する時間は、ゼロであることを特徴とする請求項３に記載の光源装置。
【請求項５】
前記駆動手段は、前記消灯動作時間において、前記ランプの消灯後に前記第１の電極が所定の温度に達する時間と、前記第２の電極の温度が前記所定の温度に達する時間との差が所定の値より小さくなるように、前記第１、第２電極への電力の供給を制御することを特徴とする請求項１から４のいずれか１項に記載の光源装置。
【請求項６】
前記発光部の内部には、水銀が封入され、
前記所定の温度は、水銀の沸点であり、
前記所定の値は、前記ランプの消灯後に前記第１および第２の電極が水銀の沸点に達した際に、前記第１および第２の電極に水銀が付着する時間差であることを特徴とする請求項５に記載の光源装置。
【請求項７】
前記駆動手段が前記消灯動作時間において前記第１、第２電極へ供給する電力の最大値は、前記ランプの点灯時に前記第１、第２電極へ供給する電力の最大値よりも小さいことを特徴とする請求項１から６のいずれか１項に記載の光源装置。
【請求項８】
前記発光部を冷却する冷却部を有し、
前記冷却部は、前記消灯動作時間において、前記ランプの点灯時に比べて冷却性能を弱めることを特徴とする請求項１から７のいずれか１項に記載の光源装置。
【請求項９】
請求項１から８のいずれかに記載の光源装置を有することを特徴とする画像表示装置。
【発明の詳細な説明】
【技術分野】
【０００１】
本発明は、光源装置およびそれを有する画像表示装置に関する。
【背景技術】
【０００２】
近年、液晶プロジェクタに代表される投写型画像表示装置の需要は急速に拡大している。投写型画像表示装置の光源として、高圧放電ランプである超高圧水銀ランプが主に使用されている。一般に、超高圧水銀ランプは石英ガラスで構成されたバルブ内に一対の電極を有し、バルブ内には水銀やハロゲン物質等が封入されている。水銀は、超高圧水銀ランプの点灯中は蒸発しているが、消灯時にはランプが冷えるにしたがってバルブの内壁や電極に液体となり付着する。水銀が電極に適量付着していると、次回始動時に電極に直接電子が衝突することによって電極材料のタングステンが蒸発するのを防ぐことができ、ランプの寿命を改善することが可能となる。
【０００３】
また、超高圧水銀ランプは、バルブからの発光を反射して特定の方向に導くリフレクタを備えていることが一般的である。リフレクタは、光を導く方向（開口側）は空間的に解放されており、逆方向（固定側）はバルブを固定するために空間的に閉塞されている。そのため、消灯時の電極の温度勾配は非対称となり、開口側の電極の方が早く冷却されるので、水銀は開口側の電極に付着し、固定側の電極には水銀は付着しにくくなる。結果として、次回始動時に固定側の電極はタングステンの蒸発が起こりやすくなってしまい、ランプの寿命が短くなってしまう。
【０００４】
特許文献１のランプは、バルブの電極を封止している外周部に導線を巻き付けることで、消灯時に巻き付け部から熱を放熱し、電極の根元に水銀を付着させている。また、特許文献２の光源装置は、バルブを冷却するための流路を２つ備えており、消灯時に片側の電極を冷却し、片側の電極の温度を積極的に変化させている。
【先行技術文献】
【特許文献】
【０００５】
【特許文献１】特許第４７８３３６３号
【特許文献２】特許第４７９４８４０号
【発明の概要】
【発明が解決しようとする課題】
【０００６】
しかしながら、特許文献１では、電極の根元への水銀の付着に対しては効果を発揮するが、両電極を保護する効果が得られない。また、特許文献２では、バルブを冷却する流路が複雑である。
【０００７】
このような課題を鑑みて、本発明は、ランプの寿命を大幅に改善可能な光源装置を提供することを目的とする。
【課題を解決するための手段】
【０００８】
本発明の一側面としての光源装置は、対向するように配置された第１の電極、第２の電極と、を含む発光部と、前記発光部からの光を反射して開口から射出するリフレクタと、を有するランプと、前記第１、第２の電極に電力を供給することで前記ランプを点灯する駆動手段と、を備え、前記第１の電極は、前記第２の電極に対して前記リフレクタの開口に近い位置に配置されており、前記駆動手段は、前記ランプの消灯信号を受信してから前記第１、２電極への電力の供給を停止して前記ランプを消灯するまでの消灯動作時間において、前記ランプの消灯時に前記第１の電極の温度が前記第２の電極の温度に比べて高くなるように、前記第１、２電極への電力の供給を制御することを特徴とする。
【発明の効果】
【０００９】
本発明によれば、ランプの寿命を大幅に改善可能な光源装置を提供することができる。
【図面の簡単な説明】
【００１０】
【図１】本発明の実施形態に係る光源装置の構成を示す図である。
【図２】実施例１の光源装置の消灯時の動作を示すフローチャートである。
【図３】実施例１の光源装置の消灯時の信号波形を示す図である。
【図４】実施例１の光源装置の消灯時の電極温度の推移を示す図である。
【図５】実施例１の別の一例による光源装置の消灯時の信号波形を示す図である。
【図６】実施例１の光源装置での点灯／消灯試験の結果を示す図である。
【図７】実施例２の光源装置の消灯時の動作を示すフローチャートである。
【図８】実施例２の光源装置の消灯時の信号波形を示す図である。
【図９】実施例３の光源装置の消灯時の動作を示すフローチャートである。
【図１０】投写型画像表示装置の構成図である。
【発明を実施するための形態】
【００１１】
以下、本発明の実施例について、図面を参照しながら詳細に説明する。各図において、同一の部材については同一の参照番号を付し、重複する説明は省略する。
【００１２】
図１を用いて、本発明の実施形態に係る光源装置の構成について説明する。光源装置は、高圧放電ランプ（以下、ランプという）１００と、高圧放電ランプ用駆動装置（以下、駆動装置という）１１０を有する。
【００１３】
本実施形態では、ランプ１００として超高圧水銀ランプを用いている。ランプ１００は、石英ガラスから構成されたバルブ（発光部）１１と、バルブ１１からの光を反射するリフレクタ１２を有する。
【００１４】
バルブ１１は内部に放電空間を有しており、その放電空間にはタングステンから構成された一対の固定部側電極１４と開口側電極１５が配置されている。開口側電極１５は、固定部側電極１４に対してリフレクタ１２の開口に近い位置に配置されている。バルブ１１の放電空間には、発光物質である水銀、ハロゲン物質および希ガスが封入されている。また、バルブ１１の片側は、固定部１３を介してリフレクタ１２に固定されている。リフレクタ１２は、結晶化ガラスと反射部材から構成され、バルブ１１からの光を反射し、開口側から射出する。固定部側電極１４および開口側電極１５は、モリブデンから構成された金属箔１６を介して、外部リード線１７に接続されている。外部リード線１７は、リフレクタ１２の外側に引き回され、駆動装置１１０に接続されている。
【００１５】
駆動装置１１０が外部リード線１７と金属箔１６を介して固定部側電極１４と開口側電極１５に高圧パルスを印加すると、固定部側電極１４と開口側電極１５との間に放電が発生する。その結果、バルブ１１の放電空間の温度が上昇し、放電空間内の水銀が蒸発する。蒸発した水銀に固定部側電極１４および開口側電極１５から放出された電子が衝突することで、ランプ１００は発光する。すなわち、駆動装置１１０は、固定部側電極１４と開口側電極１５に電力を供給することで、ランプ１００を点灯可能としている。本実施形態では、駆動装置１１０は交流電力を供給しているため、固定部側電極１４と開口側電極１５からそれぞれ交互に電子が放出し対向する電極に電子が衝突する。電極の温度は、電子の衝突量すなわち電流量によって変化することが知られている。本実施形態では、Ｄｕｔｙ５０％で交流駆動しているため、固定部側電極１４と開口側電極１５に等しい電流が流れ、固定部側電極１４と開口側電極１５の温度はほぼ等しくなる。固定部側電極１４および開口側電極１５の先端は、３０００℃付近まで上昇する。なお、交流周波数は、フリッカが視認されないように、１２０Ｈｚ以上であることが一般的であるが、３６０Ｈｚ以上であることがより好ましい。
【００１６】
本発明の光源装置は、駆動装置１１０による制御によりランプ１００から照射された光を適切に利用することで、投写型画像表示装置などさまざまな装置に活用可能である。
【実施例１】
【００１７】
図２から図４を用いて、ランプ１００の消灯時の動作について説明する。図２は本実施例の光源装置の消灯時の動作を示すフローチャート、図３は光源装置の消灯時の信号波形を示す図であり、図４は光源装置の消灯時の電極温度の推移を示す図である。図３，４の（ａ）と（ｂ）は、それぞれ本実施例と従来例を示している。
【００１８】
本実施例の消灯方法では、ランプが消灯する時点での駆動装置１１０が開口側電極１５の温度が同じくランプが消灯する時点での固定部側電極１４の温度に比べて高くなるように、これらの電極への電力供給を制御した後、ランプ１００を消灯する。つまり、ランプ消灯の指令信号（消灯信号）を受信した時点から、ある一定の時間差を以て実際にランプを消灯する時点までの間に、２つの電極間に前述のような温度差を与える制御を行う点が特徴である。具体的な方法について、図２のフローチャートを用いて説明する。
【００１９】
Ｓｔｅｐ１では、ランプ１００を消灯するために、駆動装置１１０が消灯動作を開始する。この消灯動作は、使用者のランプ１００を消灯させる動作（電源ｏｆｆ操作、或いはランプ消灯操作）や、タイマー等の機能により自動的に消灯させる動作等によって発信される消灯信号を駆動装置１１０が受信したときに開始される。尚、ここでいう消灯動作は、消灯信号を受信してからランプを消すまでの動作であって、ランプ消灯後に冷却ファンの停止等は含まない。
【００２０】
図３（ａ），（ｂ）に示すように、駆動装置１１０は、ランプ１００の点灯時には固定部側電極１４と開口側電極１５に交互に電力を供給している。従来、駆動装置１１０は、図３（ｂ）に示すように、消灯信号を受信すると瞬時に固定部側電極１４および開口側電極１５への電力の供給を停止してランプ１００を消灯する。そのため、図４（ｂ）に示すように、消灯直後の固定部側電極１４と開口側電極１５の温度はほぼ同じ温度であるが、開口側電極１５の温度が固定部側電極１４の温度よりも先に水銀の沸点に到達してしまう。これは、リフレクタ１２の開口側は空間的に解放状態であり、点灯によるバルブ１１の熱が逃げやすいのに対し、反対側の固定部１３側は空間的に閉塞状態であり、点灯によるバルブ１１の熱がこもってしまうためである。先に水銀の沸点に到達した開口側電極１５にはバルブ１１内で蒸発していた水銀が液体に戻って付着するが、固定部側電極１４には水銀は付着しにくくなる。その結果、次回始動時に固定部側電極１４には高圧パルスで発生する電子が直接衝突するため、電極材料であるタングステンが蒸発し、バルブ１１の放電空間の内側に蒸発したタングステンが付着してしまう。タングステンが付着すると、タングステンは光を吸収してしまい、局所的に放電空間の内側の温度が上昇してしまう。その結果、局所的な熱歪みや石英ガラスの結晶化によって、ランプの寿命が短くなってしまう。
【００２１】
Ｓｔｅｐ２では、駆動装置１１０によって電力を供給された固定部側電極１４が放電を開始する。図３（ａ）に示すように、駆動装置１１０は、消灯動作の開始後、固定部側電極１４からの放電のみが行われる。放電時間は、高圧放電ランプの交流電力による切り替え時間より長ければよく、具体的には５ｍｓ以上、好ましくは５０ｍｓ以上、より好ましくは１００ｍｓ以上がよい。固定部側電極１４からの放電を一定時間継続することで、開口側電極１５に電子が衝突し続ける。その結果、図４（ａ）に示すように、開口側電極１５の温度は、固定部側電極１４の温度よりも高くなる。
【００２２】
Ｓｔｅｐ３では、駆動装置１１０が電力の供給を停止し、ランプ１００を消灯する。その結果、図４（ａ）に示すように、消灯後、固定部側電極１４と開口側電極１５の温度が水銀の沸点に到達するまでの時間が図４（ｂ）の従来例に比べ近づき、略同一となっている。そのため、固定部側電極１４と開口側電極１５の両方に水銀が付着する。したがって、次回始動時に、固定部側電極１４と開口側電極１５はともに水銀で保護されるため、高圧パルスで発生する電子が直接衝突することなく、電極材料であるタングステンの蒸発が起こりにくくなる。結果として、ランプの寿命を改善できる。なお、消灯後、固定部側電極１４と開口側電極１５の温度が水銀の沸点に到達する時間差は、消灯後、両電極に水銀が付着するような時間差であればよく、ゼロであることがより好ましい。
【００２３】
本実施例では、消灯動作の開始から電力の供給を停止してランプ１００を消灯する消灯動作時間の間に、開口側電極１５の温度が固定部側電極１４の温度よりも高くなっていればよい。すなわち、固定部側電極１４からの電子の放出量が開口側電極１５からの電子の放出量よりも多くなっていれば、駆動装置１１０の電力の供給方法は本実施例の方法に限られない。例えば、図５に示すように、固定部側電極１４からの放電時間をランプ１００の点灯時に比べて長くなるように、固定部側電極１４からの放電と、開口側電極１５からの放電のＤｕｔｙ（放電する際の電圧の比）を変更してもよい。言い換えると、固定部側電極からの放電時間（電子を放出する時間）を開口側電極からの放電時間より長くしても良いし、固定部側電極からの放電時間の電圧を開口側電極からの放電時間の電圧よりも高くしても良いし、その両者を実施しても良い。結果として、消灯動作の開始から電力供給の停止までの間に、固定部側電極から放出される電子の積算量Ａ１が開口側電極から放出される電子の積算量Ａ２よりも多くなるように制御されていれば良い。更に言えば、Ａ１／Ａ２は、２以上（より好ましくは３より大きい）であることが望ましい。
【００２４】
電極に水銀を付着させた場合の効果を確認するため、電極に水銀を付着させた本実施例のランプと、水銀が付着していない従来例のランプの点灯／消灯を繰り返す試験を行い、電極材料のタングステンの付着具合を比較した。図６に、試験の結果を示す。タングステンの付着具合は、バルブ１１の黒化のレベルで確認し、レベル０〜５までの基準で判定する（レベル０が黒化なし）。また、電極への水銀の付着以外の条件（電力、温度、その他ランプの仕様）は同一に設定している。図５に示すように、本実施例のランプ１００では、バルブ１１の黒化が低減している。
【実施例２】
【００２５】
実施例１のランプ１００の消灯方法では、光源装置の電力や各電極のサイズによっては、固定部側電極１４の温度が上昇する場合や、電極材料であるタングステンがわずかであるが蒸発してしまう場合がある。そこで、本実施例の消灯方法では、このような問題を解決し、本発明の効果をさらに高めている。具体的な方法について、図７のフローチャートを用いて説明する。
【００２６】
Ｓｔｅｐ１では、ランプ１００を消灯するために、駆動装置１１０が消灯動作を開始する。
【００２７】
Ｓｔｅｐ２では、駆動装置１１０は、固定部側電極１４に供給する電力の最大値を点灯時に供給する電力の最大値に比べて低下させる。
【００２８】
Ｓｔｅｐ３では、駆動装置１１０によって固定部側電極１４が放電を開始する。図８に示すように、駆動装置１１０は、ランプ１００の点灯時には固定部側電極１４と開口側電極１５に交互に電力を供給している。消灯動作の開始後、駆動装置１１０は、供給する電力の最大値を下げた後、固定部側電極１４からの放電のみが行われる。放電時間は、ランプの交流電力による切り替え時間より長ければよく、具体的には５ｍｓ以上、好ましくは５０ｍｓ以上、より好ましくは１００ｍｓ以上がよい。固定部側電極１４からの放電を一定時間継続することで、開口側電極１５に電子が衝突し続ける。その結果、開口側電極１５の温度は、固定部側電極１４の温度よりも高くなる。本実施例では、図８に示すように、固定部側電極１４に供給する電力の最大値を点灯時に供給する電力の最大値に比べて低下させている。そのため、開口側電極１５に衝突する電子の数が減少し、開口側電極１５の温度上昇および電極材料であるタングステンの蒸発が抑制される。
【００２９】
Ｓｔｅｐ４では、駆動装置１１０が電力の供給を停止し、ランプ１００を消灯する。その結果、固定部側電極１４と開口側電極１５の温度が水銀の沸点に到達するまでの時間が近づく。そのため、固定部側電極１４と開口側電極１５の両方に水銀が付着する。したがって、次回始動時に、固定部側電極１４と開口側電極１５はともに水銀で保護されるため、高圧パルスで発生する電子が直接衝突することなく、電極材料であるタングステンの蒸発が起こりにくくなる。結果として、ランプの寿命を改善できる。
【００３０】
なお、実施例１と同様に、駆動装置１１０の電力の供給方法は本実施例の方法に限られない。例えば、固定部側電極１４からの放電時間をランプ１００の点灯時に比べて長くなるように、固定部側電極１４からの放電と、開口側電極１５からの放電のＤｕｔｙを変更してもよい。
【実施例３】
【００３１】
実施例１，２のランプ１００の消灯方法では、光源装置の電力や各電極のサイズによっては、バルブ１１の温度が低下し、バルブ１１の温度が水銀の沸点以下に到達することで、バルブ１１の内壁に水銀が付着してしまう場合がある。本発明の光源装置は、ランプ１００が点灯時に温度が上昇しすぎることにより破裂しないように、不図示の冷却構成（冷却部）を有する。冷却構成は、冷却ファンや、冷却ファンからの風を吹き付けるためのダクトから構成されている。ランプ１００の点灯時におけるバルブ１１の温度は、冷却構成からの風によりランプ１００の破裂を抑制し、かつ発光効率が最大となる温度となるように制御されている。そこで、本実施例では、消灯動作の開始後、ランプ１００に供給する電力が低下した場合は、それに応じてバルブ１１の温度も最適となるように、冷却構成からの風量を制御する。具体的な方法について、図９のフローチャートを用いて説明する。
【００３２】
Ｓｔｅｐ１では、ランプ１００を消灯するために、駆動装置１１０が消灯動作を開始する。
【００３３】
Ｓｔｅｐ２では、消灯動作が開始すると、固定部側電極１４に供給する電力の最大値を低下させる。
【００３４】
Ｓｔｅｐ３では、Ｓｔｅｐ２とほぼ同時に、ランプ１００の冷却性能を低下させる。
【００３５】
Ｓｔｅｐ４では、駆動装置１１０によって電力を供給された固定部側電極１４が放電を開始する。実施例１，２と同様に固定部側電極１４からの放電のみが行われる。放電時間は、ランプの交流電力による切り替え時間より長ければよく、具体的には５ｍｓ以上、好ましくは５０ｍｓ以上、より好ましくは１００ｍｓ以上がよい。固定部側電極１４からの放電を一定時間継続することで、開口側電極１５に電子が衝突し続ける。その結果、開口側電極１５の温度は、固定部側電極１４の温度よりも高くなる。
【００３６】
Ｓｔｅｐ５では、駆動装置１１０が電力の供給を停止し、ランプ１００を消灯する。その結果、固定部側電極１４と開口側電極１５の温度が水銀の沸点に到達するまでの時間が近づく。本実施例では、消灯動作中の冷却構成の冷却性能を弱めているため、バルブ１１の過冷却を防止し、バルブ１１の内壁に水銀が付着することを抑制している。そのため、バルブ１１の内壁ではなく、固定部側電極１４と開口側電極１５の両方に水銀が付着する。したがって、次回始動時に、固定部側電極１４と開口側電極１５はともに水銀で保護されるため、高圧パルスで発生する電子が直接衝突することなく、電極材料であるタングステンの蒸発が起こりにくくなる。結果として、ランプの寿命を改善できる。
【実施例４】
【００３７】
本実施例では、実施例１から３で説明した光源装置を搭載した画像表示装置について説明する。本実施例では、画像表示装置の一例として、反射型液晶表示素子（画像形成素子）を搭載した投写型画像表示装置１０００について説明する。図１０は、投写型画像表示装置１０００の構成図である。
【００３８】
投写型画像表示装置１０００は、画像をスクリーン２０００に表示する。投写型画像表示装置１０００は、筐体２００、本発明の光源装置、照明光学系２０、色分解合成光学系３０、投写レンズ光学系４０、液晶表示素子５０、記憶部６０、制御手段７０および演算手段８０を有する。
【００３９】
ランプ１００は、光を生成する。ランプ１００は、ダクト９０によって導かれた冷却ファン９１からの風によって冷却される。冷却ファン制御手段９２は、冷却ファン９１の回転数を制御する。
【００４０】
照明光学系２０は、ランプ１００からの光を色分解合成光学系３０に伝達する。照明光学系２０は、シリンダアレイ２１，２２、光遮断部品２３、紫外線吸収フィルタ２４、偏光変換素子２５、フロントコンプレッサ２６、全反射ミラー２７、コンデンサーレンズ２８およびリアコンプレッサ２９を有する。シリンダアレイ２１，２２は、カメラ、検出器、走査装置内等に組み込まれている感光素子の複合体である。シリンダアレイ２１は、光軸γに対して垂直方向に屈折力を有するレンズアレイである。シリンダアレイ２２は、シリンダアレイ２１の個々のレンズに対応したレンズアレイを有する。光遮断部品２３は、ランプ１００からの光の入射側が反射ミラーで構成されている。光遮断部品２３は、ランプ１００からの光を段階的に遮断する絞りのような構成部品、またはランプ１００からの光を全て遮断するシャッターのような構成部品からなる。紫外線吸収フィルタ２４は、紫外線を吸収する。偏光変換素子２５は、無偏光光を所定の偏光光に変換する。フロントコンプレッサ２６は、水平方向において屈折力を有するシリンドリカルレンズで構成されている。全反射ミラー２７は、光軸を９０度変換する。コンデンサーレンズ２８は、ランプ１００からの光を集め、投影レンズの瞳内に光源の像を結ばせることによって、物体を均等に照明する。リアコンプレッサ２９は、水平方向において屈折力を有するシリンドリカルレンズで構成されている。
【００４１】
色分解合成光学系３０は、ランプ１００からの光を分解および合成する。色分解合成光学系３０は、ダイクロイックミラー３１、偏光板３２、偏光ビームスプリッター３３、１／４波長板３４および色選択性位相差板３５を有する。ダイクロイックミラー３１は、青（Ｂ）と赤（Ｒ）の波長領域の光を反射し、緑（Ｇ）の波長領域の光を透過する。偏光板３２は、偏光板３２ａ，３２ｂおよび３２ｃを有する。偏光板３２ａは、透明基板に偏光素子を貼り合わせた緑用の入射側偏光板であり、Ｓ偏光光のみ透過する。偏光板３２ｂは、透明基板に偏光素子を貼り合わせた赤青用の入射側偏光板であり、Ｓ偏光光のみ透過する。偏光板３２ｃは、透明基板に偏光素子を貼り合わせた赤青用の出射側偏光板であり、Ｓ偏光のみを透過する。偏光ビームスプリッター３３は、偏光分離面を有し、Ｐ偏光光を透過し、Ｓ偏光光を反射する。偏光ビームスプリッター３３は、偏光ビームスプリッター３３ａ，３３ｂおよび３３ｃを有する。１／４波長板３４は、位相差を与える。１／４波長板３４は、１／４波長板３４Ｒ，３４Ｇおよび３４Ｂを有する。色選択性位相差板３５は、色選択性位相差板３５ａ，３５ｂを有する。色選択性位相差板３５ａは、青色の光の偏光方向を９０度変換し、赤色の光の偏光方向は変換しない。色選択性位相差板３５ｂは、赤色の光の偏光方向を９０度変換し、青色の光の偏光方向は変換しない。
【００４２】
液晶表示素子５０は、液晶表示素子５０Ｒ，５０Ｇおよび５０Ｂを有する。液晶表示素子５０に入射した光は、位相差を付与され入射偏光軸と異なる偏光軸となり、偏光ビームスプリッター３３で選択的に透過または反射されることで投写レンズ光学系４０に導かれ、投写される。一方、位相差を付与されず入射偏光軸と同じ偏光軸の光は、偏光ビームスプリッター３３で選択的に反射または透過されることで、ランプ１００まで戻っていく。
【００４３】
投写レンズ光学系４０は、照明光学系２０および色分解合成光学系３０を介したランプ１００からの光を照射する。投写レンズ光学系４０は、図示しない複数の光学素子で構成されている。また、投写レンズ光学系４０は、スクリーン２０００に投写された投写画像をシフトすることが可能なシフト機構４１を有する。
【００４４】
投写型画像表示装置１０００に本発明の光源装置を搭載することにより、ランプ１００の寿命を延ばすことが可能となる。
【００４５】
以上、本発明の実施の形態を説明したが、本発明はこれらの実施の形態に限定されず、その要旨の範囲内で様々な変形及び変更が可能である。
【符号の説明】
【００４６】
１１    バルブ（発光部）
１２    リフレクタ
１４    固定部側電極（第２の電極）
１５    開口側電極（第１の電極）
１００  高圧放電ランプ（ランプ）
１１０  高圧放電ランプ用駆動装置（駆動手段）
【図３】
2016012090.tif 000003
【図４】
2016012090.tif 000004
【図５】
2016012090.tif 000005
【図６】
2016012090.tif 000006
【図１】
2016012090.tif 000007
【図２】
2016012090.tif 000008
【図７】
2016012090.tif 000009
【図８】
2016012090.tif 000010
【図９】
2016012090.tif 000011
【図１０】
2016012090.tif 000012